(57)【要約】【課題】専用治具を使用することなく容易に電源と回路部との導通を遮断することができる電子時計の電源遮断構造、時計用ムーブメントおよび電子時計を提供する。【解決手段】電源となる二次電池３８と、二次電池３８から電力供給を受ける回路基板５０とを備える電子時計の電源遮断構造において、二次電池３８と回路基板５０とを導通接続するリード部材となるプラスリード板９０を備え、このプラスリード板９０に二次電池３８と回路基板５０とを導通接続するために回路基板５０の接点７０に圧接される圧接接点ばね部９３を設け、この圧接接点ばね部９３を引掛部１００Ａに引っ掛けて接点７０と非接触の位置に保持自在とした。【選択図】図４
2008020273.tif 000002
【特許請求の範囲】
【請求項１】
電源と、電源から電力供給を受ける回路部とを備える電子時計の電源遮断構造において、
前記電源と前記回路部とを導通接続するリード部材を備え、このリード部材に前記電源と前記回路部とを導通接続するために所定の接点に圧接される圧接接点部材を設け、この圧接接点部材を前記接点と非接触の位置に保持自在としたことを特徴とする電子時計の電源遮断構造。
【請求項２】
請求項１に記載の電子時計の電源遮断構造において、
前記圧接接点部材が引っ掛けられて前記圧接接点部材を前記接点と非接触の位置に保持する引掛部を設けたことを特徴とする電子時計の電源遮断構造。
【請求項３】
請求項２に記載の電子時計の電源遮断構造において、
前記引掛部を地板に設けたことを特徴とする電子時計の電源遮断構造。
【請求項４】
請求項２に記載の電子時計の電源遮断構造において、
前記引掛部を、前記リード部材に設けたことを特徴とする電子時計の電源遮断構造。
【請求項５】
請求項２乃至４のいずれかに記載の電子時計の電源遮断構造において、
前記引掛部を前記圧接接点部材が引っ掛かる位置から待避自在に構成したことを特徴とする電子時計の電源遮断構造。
【請求項６】
請求項１乃至５のいずれかに記載の電子時計の電源遮断構造において、
前記リード部材を地板に取り付けると共に、前記回路部を構成する回路基板を前記地板に積層配置し、前記回路基板の側面に、前記回路部と電気的に接続される接点を設け、この接点に前記圧接接点部材を圧接させたことを特徴とする電子時計の電源遮断構造。
【請求項７】
請求項１乃至５のいずれかに記載の電子時計の電源遮断構造において、
前記リード部材を地板に取り付けると共に、前記回路部を構成する回路基板を前記地板に積層配置し、前記回路基板の地板側の面に前記回路基板と電気的に接続される接点を設け、この接点に前記圧接接点部材を圧接させたことを特徴とする電子時計の電源遮断構造。
【請求項８】
請求項１乃至７のいずれかに記載の電子時計の電源遮断構造において、
前記リード部材は、地板に固定される金属板からなる固定部を有し、前記金属板を折り曲げて、前記圧接接点部材と、前記電池に圧接する圧接端子部とを形成したことを特徴とする電子時計の電源遮断構造。
【請求項９】
請求項１乃至８のいずれかに記載の電子時計の電源遮断構造において、
前記回路部を構成する回路基板の地板と反対側の面に、前記回路部と電気的に導通する電気特性検査用のチェック用端子を設けたことを特徴とする電子時計の電源遮断構造。
【請求項１０】
電源と、電源から電力供給を受ける回路部とを備える時計用ムーブメントにおいて、
前記電源と前記回路部とを導通接続するリード部材を備え、このリード部材に前記電源と前記回路部とを導通接続するために所定の接点に圧接される圧接接点部材を設け、この圧接接点部材を前記接点と非接触の位置に保持自在としたことを特徴とする時計用ムーブメント。
【請求項１１】
電源と、電源から電力供給を受ける回路部とを備える電子時計において、
前記電源と前記回路部とを導通接続するリード部材を備え、このリード部材に前記電源と前記回路部とを導通接続するために所定の接点に圧接される圧接接点部材を設け、この圧接接点部材を前記接点と非接触の位置に保持自在としたことを特徴とする電子時計。
【発明の詳細な説明】
【技術分野】
【０００１】
本発明は、電子時計に電源を組み込んだ状態で電源と回路部との導通を遮断可能な電子時計の電源遮断構造、時計用ムーブメントおよび電子時計に関する。
【背景技術】
【０００２】
電子時計には、ボタン型の電池をムーブメントに組み込み、この電池からの電力供給を受けて時計回路などからなる回路部を駆動するものがある。この種の電子時計では、ムーブメント組み立て時やメンテナンス時にムーブメントの消費電流を測定する場合がある。この測定は、電源系統の接点確認、電池寿命の確認、アナログ式時計の場合はさらに輪列不良の確認などを行うために重要であるが、電池の着脱作業が必要となり、手間がかかってしまう。特に、太陽電池などの発電装置付き電子時計においては、二次電池に交換しなければならないところを誤って一次電池に交換してしまうことを回避するために、二次電池を容易に取り外せない構造となっている場合があり、この電池の着脱作業に専門的かつ困難な作業が必要になってしまう。
これを解決するために、ムーブメントの裏側若しくは文字板側から棒形状の検査部材が挿入可能な孔や切り欠きを設け、この検査部材を挿入すると、この検査部材で押し下げられて電池（電源）と回路部との導通を遮断する接点ばね部を設けた電子時計が提案されている（例えば、特許文献１、２参照）。
【特許文献１】特開平８−２３３９５８号公報
【特許文献２】特開２０００−２９８１８２号公報
【発明の開示】
【発明が解決しようとする課題】
【０００３】
しかし、検査部材で接点ばね部を押し下げながらムーブメントの消費電流を測定するのは作業しにくい場合があった、また、検査部材を挿入するのに十分な孔や切り欠きを設ける必要があるため、ムーブメントの平面レイアウトに占める電源部面積が多くなり、ムーブメントの小型化の障害になり、かつ、検査部材となる専用治具をメンテナンスを行う店舗毎に用意しなければならないといった問題があった。
本発明は、上述した事情に鑑みてなされたものであり、専用治具を使用することなく容易に電源と回路部との導通を遮断することができる電子時計の電源遮断構造、時計用ムーブメントおよび電子時計を提供することを目的としている。
【課題を解決するための手段】
【０００４】
上記課題を解決するため、本発明は、電源と、電源から電力供給を受ける回路部とを備える電子時計の電源遮断構造において、前記電源と前記回路部とを導通接続するリード部材を備え、このリード部材に前記電源と前記回路部とを導通接続するために所定の接点に圧接される圧接接点部材を設け、この圧接接点部材を前記接点と非接触の位置に保持自在としたことを特徴とする。
この発明によれば、電源と前記回路部とを導通接続するリード部材に、電源と回路部とを導通接続するために所定の接点に圧接される圧接接点部材を設け、この圧接接点部材を接点と非接触の位置に保持自在としたので、圧接接点部材を接点と非接触の位置に保持して容易に電源と回路部との導通を遮断することができる。
【０００５】
上記構成において、前記圧接接点部材が引っ掛けられて前記圧接接点部材を前記接点と非接触の位置に保持する引掛部を設けることが好ましい。この構成によれば、圧接接点部材を引掛部に引っ掛けるといった容易な作業で、電源と回路部との導通を遮断することができる。
上記構成において、前記引掛部を地板に設けることが好ましい。この構成によれば、引掛部が安定支持される。また、前記引掛部をリード部材に設けてもよい。この場合、地板などに引掛部を形成する必要がなくなる。また、上記構成において、前記引掛部を前記圧接接点部材が引っ掛かる位置から待避自在に構成してもよい。この構成によれば、圧接接点部材を引掛部に引っ掛ける際や引掛部から外す際に、引掛部が待避するので、圧接接点部材の形状自由度が向上する。
【０００６】
また、上記構成において、前記リード部材を地板に取り付けると共に、前記回路部を構成する回路基板を前記地板に積層配置し、前記回路基板の側面に、前記回路部と電気的に接続される接点を設け、この接点に前記圧接接点部材を圧接させることが好ましい。この構成によれば、回路基板側方のスペースに圧接接点接点部材を配置でき、少ない平面面積で電源部が構成できるため、回路基板の平面レイアウトを拡大でき、しかも、圧接接点接点部材と回路基板との導通接点を基板側面に形成する分、回路基板に必要とされる平面面積を少なくすることができる。
【０００７】
また、上記構成において、前記リード部材を地板に取り付けると共に、前記回路部を構成する回路基板を前記地板に積層配置し、前記回路基板の地板側の面に前記回路基板と電気的に接続される接点を設け、この接点に前記圧接接点部材を圧接させることが好ましい。この構成によれば、回路基板と地板との間のスペースを利用して、電源と回路基板とを容易に導通接続／導通遮断する電源遮断構造を構成することができる。
【０００８】
また、上記構成において、前記リード部材を地板に取り付けると共に、前記回路部を構成する回路基板を前記地板に積層配置し、前記回路基板の地板側の面に前記回路基板と電気的に接続される接点を設け、この接点に前記圧接接点部材を圧接させると共に、前記圧接接点部材を、前記回路基板における前記接点と非接触の位置に引っ掛けて保持可能にすることが好ましい。この構成によれば、圧接接点部材を引っ掛けて接点と非接触の位置に保持する部材を回路基板としたので、回路基板を引掛部に兼用することができる。
【０００９】
また、上記構成において、前記リード部材は、地板に固定される金属板からなる固定部を有し、前記金属板を折り曲げて、前記圧接接点部材と、前記電池に圧接する圧接端子部とを形成することが好ましい。この構成によれば、圧接接点部材などを別部品で製作する必要がない。
【００１０】
また、上記構成において、前記回路部を構成する回路基板の地板と反対側の面に、前記回路部と電気的に導通する電気特性検査用のチェック用端子を設けることが好ましい。この構成によれば、このチェック用端子を利用して容易かつ確実な電気特性検査を行うことができる。
【発明の効果】
【００１１】
本発明は、電源と前記回路部とを導通接続するリード部材に、電源と回路部とを導通接続するために所定の接点に圧接される圧接接点部材を設け、この圧接接点部材を接点と非接触の位置に保持自在としたので、圧接接点部材を接点と非接触の位置に保持して容易に電源と回路部との導通を遮断することができる。
【発明を実施するための最良の形態】
【００１２】
以下、図面を参照して本発明の一実施形態について説明する。
＜第１実施形態＞
図１は、本発明の第１実施形態に係るソーラー充電式電波時計（以下、腕時計という）の外観を示す図であり、図２はその断面構造の概要を示す図である。この腕時計１は、時計ケース２と、この時計ケース２に連結された一対のバンド（帯状体）３とを備えている。時計ケース２は、ステンレス、チタンなどの金属材またはプラスチックなどの樹脂材で形成され、その内部に貫通孔２Ａ（図２参照）を有している。時計ケース２の貫通孔２Ａには、時計表側から順に、文字板１０、ソーラーパネル２０、ムーブメント（電子時計用ムーブメント）３０が積層配置されており、文字板１０上には、ムーブメント３０の秒車２１、２番車２２、筒車２３に各々連結された秒針５、分針６および時針７からなる３つの表示指針が配置され、この貫通孔２Ａの時計表側がカバーガラス４０で封止され、裏側が裏蓋４１で封止されている。このカバーガラス４０と時計ケース２との間、および、裏蓋４１と時計ケース２との間には各々パッキン４２、４３が配置されて時計ケース２内の密封性が確保されている。また、時計ケース２の外側には、竜頭８と操作ボタン９とが設けられている。
【００１３】
この腕時計１の文字板１０は、光透過性を有する材料で形成されており、カバーガラス４０および文字板１０を通過した太陽光などの光がソーラーパネル２０に照射されてソーラーパネル２０が発電し、この発電電力がムーブメント３０に取り付けられた二次電池３８（図３参照）に充電される。そして、この二次電池３８の電力によりムーブメント３０が駆動して現在時刻を表示する。
【００１４】
図３は、ムーブメント３０を裏蓋４１側から見た平面図であり、図４は、このムーブメント３０から回路基板５０および回路押さえ板５１を外した状態を示す平面図である。このムーブメント３０は、ムーブメント３０の基材となる略円板形状の地板３１を備えている。この地板３１には、上記複数の表示指針５〜７を回転駆動するためのアナログ時計機構を構成する輪列機構（秒車２１、２番車２２、筒車２３を含む）３５と、アナログ時計機構駆動部として機能する２つのモータ３６Ａ、３６Ｂと、長波標準電波（日本ＪＪＹ：４０ｋＨｚ／６０ｋＨｚ、アメリカＷＷＶＢ：６０ｋＨｚ、ドイツＤＣＦ７７：７７．５ｋＨｚ）を受信するアンテナユニット３７と、電源として機能する二次電池３８などが配置されている。なお、図３および図４において、符号８Ａは、ムーブメント３０の３時位置から延びてその先端に竜頭８が連結される巻き真である。
なお、本実施形態の地板３１には、電波の受信に支障がでないように樹脂製の地板が適用されているが、受信性能を満足する範囲で金属製などの他の材料の地板を適用してもよい。
【００１５】
この地板３１の部品レイアウトについて詳述すると、図４に示すように、地板３１には、その中央領域に輪列機構３５が配置され、この輪列機構３５を取り囲む外側に環状の空き領域ＳＣが確保される。そして、この空き領域ＳＣには、２つのモータ３６Ａ、３６Ｂ、アンテナユニット３７および二次電池３８などが配置される。
より具体的には、環状の空き領域ＳＣは、第一領域（略０時−３時領域）ＡＲ１と、第二領域（略３時−６時領域）ＡＲ２と、第三領域（略６時−１０時領域）ＡＲ３と、第四領域（略１０時−１２時（０時）領域）ＡＲ４との４つに区分され、第一領域ＡＲ１には一方のモータ３６Ａが配置され、第二領域ＡＲ２には他方のモータ３６Ｂが配置され、第三領域ＡＲ３には、アンテナユニット３７が配置され、第四領域ＡＲ４には二次電池３８が配置される。これにより、地板３１の限られた平面スペースに比較的大型の４部品（二個のモータ３６Ａ、３６Ｂ、アンテナユニット３７、二次電池３８）を上下に重ねることなくバランスよく配置している。
【００１６】
上記輪列機構３５の各歯車の軸は、一端が地板３１に支持されると共に、他端が地板３１の裏蓋４１側に設けられた輪列受け４５に支持されている。この輪列機構３５は、時針７および分針６用の輪列機構と、秒針５用の輪列機構とを有し、一方の輪列機構がモータ３６Ａによって駆動されると共に、他方の輪列機構がモータ３６Ｂによって駆動される。すなわち、２つのモータ３６Ａ、３６Ｂの一方が時針７および分針６を駆動する時分モータとして機能し、他方が秒針５を駆動する秒針モータとして機能するように構成されている。
本腕時計１では、時針７および分針６と、秒針５とを独立駆動可能な２モータ式を採用することにより、アンテナユニット３７により受信した長波標準電波に含まれるタイムコードに従って時刻を調整する場合に、秒針５、分針６および時針７を１モータで駆動する場合に比して時刻調整時のモータ駆動量を減らすことができ、時刻調整の短時間化および電力消費量の低減を図ることができる。
【００１７】
アンテナユニット３７は、Ｃｏ系を主成分とするアモルファス金属の薄板（磁性シート）を複数枚積層した積層材、あるいは、フェライトといった強磁性体材からなるアンテナコア（バー）３７Ａの周りにコイル３７Ｂを巻き回してなるバーアンテナである。このアンテナユニット３７は、長波標準電波（詳細には、長波標準電波の磁界成分）の時間変動に応じて、電磁誘導により、コイル状の導線３７Ｂに誘導起電力（誘導起電圧）が発生する。そして、誘導起電力によるコイル両端の電位の変動が受信信号として検出される。
【００１８】
なお、本実施形態のムーブメント３０は、婦人用時計を目的として従来のソーラー充電式電波時計用ムーブメントよりもさらに小型化を図ったムーブメントであり、２モータ式を採用する場合を示したが、これに限らず、全ての表示針を一個のモータで駆動する１モータ式を採用してもよい。また、ムーブメント３０を男性時計用とした場合、あるいはデザインの観点から比較的大型のものにした場合には、地板３１が大きくなる分、３個あるいは４個以上のモータを容易に配置することが可能である。
【００１９】
また、このムーブメント３０には、図３に示すように、地板３１の裏蓋４１側に輪列受け４５との間に間隔を空けて回路基板５０が配置され、この回路基板５０は、回路押さえ板５１によって地板３１に固定されている。
図５は、回路基板５０の時計表側（つまり、地板３１側）の平面図であり、図６は、その反対側（裏蓋４１側）の平面図である。この回路基板５０は、地板３１（ムーブメント３０）の略全面を覆う略円板形状に形成されている。この回路基板５０には、輪列機構３５の裏蓋４１側に飛び出る部分（秒車２１、２番車２２、筒車２３の軸部分）とモータ３６Ａ、３６Ｂのコイル部分とに対応する領域に  窓部５０Ａ、５０Ｂ、５０Ｃが各々形成され、これらとの干渉を避けつつ、回路基板５０を地板３１側に近接配置させてムーブメント厚の増加を防いでいる。
【００２０】
この回路基板５０には、時計表側（地板３１側）の面に、受信回路となる受信ＩＣ５５、制御回路となるマイクロコンピュータ５６、水晶振動子５７および針位置検出機構（図示せず）などの電子部品が実装されており、これら電子部品が、アンテナユニット３７、ソーラーパネル２０、モータ３６Ａ、３６Ｂおよび二次電池３８に電気的に接続されることによって、この回路基板５０は、この腕時計１全体を制御する回路部を構成する。
【００２１】
受信ＩＣ５５は、マイクロコンピュータ５６と配線接続され、マイクロコンピュータ５６の制御の下、アンテナユニット３７を介して長波標準電波を受信し、受信した長波標準電波から現在時刻情報を示すタイムコードを復号する。周知の通り、タイムコードには、現在分を示す分情報と、現在時を示す時情報と、現在日を表す日情報（その年の１月１日からの通算日）とが含まれ、これらの情報が受信ＩＣ５５からマイクロコンピュータ５６へ出力される。
【００２２】
マイクロコンピュータ５６は、この腕時計１の各部を中枢的に制御するものあり、ＣＰＵ、ＲＯＭ、ＲＡＭおよび水晶振動子５７を発振させる発振回路などの各種回路を有し、モータ３６Ａ、３６Ｂの駆動制御、長波標準電波の受信制御および時刻修正、ソーラーパネル２０の発電電力を二次電池３８に充電する制御および二次電池３８に蓄電された電力を各部に供給する電源制御といった各種処理を行う。
本構成では、回路基板５０が、アンテナユニット３７も含めて地板３１（ムーブメント３０）の略全面を覆うため、回路基板５０の面積を広く確保でき、電子部品や配線の配置領域を広く確保することができる。
また、この回路基板５０のアンテナユニット３７のコイル部分と重なる領域ＡＲＣの殆どは配線パターンとされ、この領域ＡＲＣに実装部品を設けないことでムーブメント３０厚の増加を防いでいる。また、この回路基板５０の裏蓋４１側の面には、電気特性検査用のチェック端子ＴＣ（プラス端子ＴＡ、マイナス端子ＴＢ）が設けられている（図６参照）。
【００２３】
また、本構成の回路基板５０の側面部には、図５に示すように、マイクロコンピュータ５６の所定端子にパターン配線で電気的に接続された操作検出用接点６０と、マイクロコンピュータ５６を含む各種電子部品の電源入力端子にパターン配線で電気的に接続されたプラス側電源用接点７０とが設けられている。
操作検出用接点６０は、操作ボタン９に対応する位置（４時位置に相当）に設けられ、このムーブメント３０を組み立てた場合、この操作検出用接点６０の外側（回路基板５０の外周側）に、回路押さえ板５１に設けられた接点ばね部６５（図３参照）が離間して配置される。ムーブメント３０を時計ケース２に組み込んだ場合、接点ばね部６５には、操作ボタン９の先端が当接し、操作ボタン９が押下操作されると、接点ばね部６５が屈曲して操作検出用接点６０に接触し、この接触がユーザ操作としてマイクロコンピュータ５６に検出される。
【００２４】
次に、回路基板５０のプラス側電源用接点７０と二次電池３８との導通構造について詳述する。
図７は、二次電池３８を周辺構成と共に示すムーブメント３０の断面図であり、図８（Ａ）はその続きの図であり、図８（Ｂ）は図８（Ａ）を横から見た図である。二次電池３８は、ボタン型のキャパシタまたはリチウムイオン二次電池などの化学二次電池が適用され、上面（回路基板５０側の面）が負極であり、側面が正極の電池である。この二次電池３８の負極には、図７に示すように、マイナスリード板８０が溶着されている。
図７に示すように、地板３１には、二次電池３８を収容する凹部３１Ｄが形成され、この凹部３１Ｄの近傍（回路基板５０の外周側近傍）には、回路基板５０側に突出するようにパイプ部材（いわゆるねじピン）３１Ｐが取り付けられ、このパイプ部材３１Ｐには、図７および図８（Ａ）（Ｂ）に示すように、プラスリード板（リード部材）９０と、アンテナユニット３７の一端部と、マイナスリード板８０と、回路基板５０と、回路押さえ板５１とが順に挿通され、このパイプ部材３１Ｐに上方からねじ３１Ｎが締結されることによって、パイプ部材３１Ｐに挿通された部品群が地板３１にねじ止めされる。なお、パイプ部材３１Ｐの下方にもムーブメント３０の所定の構成部品を地板３１に固定するねじ３１ｎが締結される。
【００２５】
プラスリード板９０は、図９に示すように、上記パイプ部材３１Ｐに挿通される孔部９１Ａや一対の位置決め用孔部９１Ｂを有して地板３１に固定される固定部９１と、二次電池３８の側面（正極）に圧接する圧接端子部９２と、圧接接点ばね部（圧接接点部材）９３とを有している。なお、このプラスリード板９０は、所定形状に切断された一枚の金属板を折り曲げることによって、固定部９１、圧接端子部９２および圧接接点ばね部９３とが一体に形成されている。
上記圧接端子部９２は、図７に示すように、平板状の固定部９１から地板３１の凹部３１Ｄの側面に沿って下に折れ曲がって凹部３１Ｄ内に位置し、図４に示すように、上面視で両端が二次電池３８側に各々屈曲することにより、両端が二次電池３８の側面に各々圧接して二次電池３８の負極と確実に導通する。
【００２６】
圧接接点ばね部９３は、図３に示すように、上面視で固定部９１の一部が回路基板５０より外側に延出し、この延出部分９１Ｇから上方に折れ曲がることにより、上面視で回路基板５０より外側、かつ、地板３１の外縁より内側に位置する。この圧接接点ばね部９３は、図８（Ａ）に示すように、側面視で、固定部９１側の基端部から上方に凸の弧を描く屈曲部９３Ａを形成しながら回路基板５０の外周に沿って延び、図９に示すように、この屈曲部９３Ａより先端側部分がさらに回路基板５０側に屈曲し、この先端部に設けられた接点部９３Ｓを、図８（Ａ）（Ｂ）に示すように、回路基板５０のプラス側電源用接点７０に圧接させる。
このように、二次電池３８に導通するプラスリード板９０に圧接接点ばね部９３を設け、この圧接接点ばね部９３を回路基板５０のプラス側電源用接点７０に圧接させることにより、二次電池３８と回路基板５０とを導通接続することができる。
【００２７】
また、本構成では、圧接接点ばね部９３が引っ掛けられて圧接接点ばね部９３をプラス側電源用接点７０から非接触の位置に保持する引掛部１００Ａが設けられている。
この引掛部１００Ａは、図８（Ａ）（Ｂ）に示すように、地板３１に一体的に設けられ、より具体的には、圧接接点ばね部９３の先端部９３Ｔの外側位置で地板３１から上方（回路基板５０側）に立設する断面直角三角形状を有しており、その傾斜面１０１が回路基板５０側に位置すると共に、垂直面１０２が回路基板５０と反対側に位置している。
この構成によれば、圧接接点ばね部９３を外側に曲げた場合に、図８（Ｂ）に二点鎖線で示すように、圧接接点ばね部９３の先端部９３Ｔが引掛部１００Ａの傾斜面１０１に当接し、この傾斜面１０１に沿って上方に移動して引掛部１００Ａを乗り越える。そして、引掛部１００Ａを乗り越えると、圧接接点ばね部９３は、その弾性力により回路基板５０側に復帰する弾性力によって先端部９３Ｔが引掛部１００Ａの垂直面１０２に引っかかり、その位置に保持させることができる。
【００２８】
また、本構成では、この圧接接点ばね部９３が、上方に凸の弧を描く屈曲部９３Ａを有するので、この屈曲部９３Ａを基準にして、上下方向（ばね部平面方向）および左右方向（ばね部断面方向）へ容易に屈曲することができる。このため、圧接接点ばね部９３を、その接点部９３Ｓを左右方向に屈曲して回路基板５０のプラス側電源用接点７０から離れる方向へ容易に屈曲させることができると共に、上方向に曲げて引掛部１００Ａを容易に乗り越えさせることができる。実際には、圧接接点ばね部９３を外周方向に曲げるといった一つの作業を行うだけで、圧接接点ばね部９３が引掛部１００Ａの傾斜面１０１に沿って上方向に曲がり、引掛部１００Ａを乗り越えて引掛部１００Ａの垂直面１０２に引っ掛けることができる。
従って、上記圧接接点ばね部９３を引掛部１００Ａに容易に着脱させることができ、圧接接点ばね部９３をプラス側電源用接点７０に圧接させたり、離間させたりすることができる。
【００２９】
以上説明したように、本実施形態によれば、二次電池３８に導通するプラスリード板９０に圧接接点ばね部９３を設け、この圧接接点ばね部９３を回路基板５０のプラス側電源用接点７０に圧接させると共に、この圧接接点ばね部９３が引っ掛けられてプラス側電源用接点７０と非接触の位置に保持する引掛部１００Ａを設けたので、圧接接点ばね部９３を引掛部１００Ａに引っ掛けるといった容易な作業で、二次電池３８と回路基板５０との導通を遮断することができ、かつ、圧接接点ばね部９３を引掛部１００Ａから外すといった容易な作業で、二次電池３８と回路基板５０との導通を復帰させることができる。
【００３０】
これにより、ムーブメント組み立て時やメンテナンス時に、二次電池３８を組み込んだ状態であっても、二次電池３８と回路基板５０との導通を容易に遮断することができ、チェック端子ＴＣ（プラス端子ＴＡ、マイナス端子ＴＢ）を利用してムーブメント３０の消費電流の測定を行うことができる。そして、この測定の際に、電源系統の接点確認、電池寿命の確認、輪列不良の確認などを行うことができる。
このため、本実施形態では、電池と回路基板との導通を遮断するために検査部材などの専用治具を利用する従来のものに比して、専用治具を使用することなく、二次電池３８と回路基板５０との導通を遮断できると共に、専用治具を挿入するための孔や切り欠きを別途設ける必要がない分、ムーブメント３０の小型薄型化が可能になる。また、電気導通の遮断を維持できるため、確実な電気特性検査を行うことができ、かつ、二次電池３８と回路基板５０とが断面的に重なったレイアウトが可能になる。
【００３１】
しかも、本実施形態では、回路基板５０の側面にプラス側電源用接点７０を設け、この接点７０の外側にムーブメント３０の平面方向に可撓性を有する圧接接点ばね部９３を設けたので、回路基板５０側方の既存の空きスペースに圧接接点ばね部９３を配置でき、少ない平面面積で電源部が構成できるため、回路基板５０の平面レイアウトを拡大できる。さらに、圧接接点ばね部９３と回路基板５０との導通パターン（プラス側電源用接点７０に相当）を基板側面に形成できるので、その分、回路基板５０に必要とされる平面面積を少なくすることができる。これらにより、レイアウト自由度が向上してムーブメント３０の小型薄型化がより容易になる。
【００３２】
また、このレイアウトの場合、ムーブメント３０を時計ケース２に組み込んだ状態でも、裏蓋４１を外せば、圧接接点ばね部９３が露出するので、ムーブメント３０を取り外すことなく、二次電池３８と回路基板５０との導通を遮断できる。しかも、チェック端子ＴＣ（プラス端子ＴＡ、マイナス端子ＴＢ）が回路基板５０の地板３１と反対側の面に設けられているので、裏蓋４１を外すとチェック端子ＴＣが露出し、ムーブメント３０を取り外すことなく消費電流などの測定などが可能になる。また、ムーブメント構造部品に測定端子の逃げ形状を設ける必要がないので、レイアウト自由度が向上する。
さらに、チェック端子ＴＣが回路基板５０に設けられるので、可動部品にチェック端子に相当する接点を設ける場合に比して、測定端子を当てる作業が容易かつ確実になる。
【００３３】
また、本実施形態では、引掛部１００Ａを地板３１に設けているので、引掛部１００Ａが安定支持される。なお、この引掛部１００Ａを地板３１以外に設ける場合は、引掛部１００Ａを安定支持する観点から、輪列受け４５などの他の構造部材に設けることが好ましい。さらに、圧接接点ばね部９３がプラスリード板９０に一体に形成されるので、圧接接点ばね部９３などを別部品で製作する必要がなく、部品点数の低減や組み立てや分解を容易にすることが可能になる。
【００３４】
一般に、この種の時計は多機能化に伴い、回路基板５０の素子や配線数が増加し、回路基板面積の拡大が必要になり、二次電池３８と回路基板５０を断面的に重ねるレイアウトが必要になった場合、二次電池３８の組み立て後に回路基板５０の組み立てを行うため、回路基板５０の組み立てと同時に二次電池３８から電力供給を受けて時計動作が開始される。しかし、針位置検出機構を持っている場合、輪列機構３５の歯車の噛み合いを予め定めた条件で組み立てる必要があるため、回路基板５０の組み立てと同時に時計動作が開始された場合、歯車の噛み合いがずれ、正しい輪列の組み立てが難しくなる。また、ムーブメント組み立て工程での各種電気特性の検査では任意の電圧設定を行う場合があるので、回路基板５０と二次電池３８とが導通している場合はかかる検査を行うことができない。
これに対し、本実施形態に係る腕時計１は、電気導通の遮断状態を保持可能としたので、回路基板５０の時計動作を停止でき、輪列機構３５を容易に正しく組み立てることができると共に、ムーブメント組立工程での各種電気特性の検査を確実に行うことができるようになる。
【００３５】
＜第２実施形態＞
図１０（Ａ）（Ｂ）は第２実施形態を示す。この実施形態では、引掛部１００Ｂをプラスリード板９０に一体に形成している。より具体的には、図１０（Ａ）（Ｂ）に示すように、プラスリード板９０は、固定部９１から分岐し、一方が屈曲部９３Ａを介して延びる圧接接点ばね部９３を構成し、他方が圧接接点ばね部９３の下方を地板３１に沿って平板状に延びる引掛部１００Ｂを構成する。
この引掛部１００Ｂは、地板３１上に載置される平板部１００Ｂ１と、この平板部１００Ｂ１の先端部分から略垂直に立ち上がる立上部１００Ｂ２とを有し、この立上部１００Ｂ２は圧接接点ばね部９３の先端部９３Ｔの外側に位置する。なお、このプラスリード板９０についても、一枚の金属板を折り曲げることによって、固定部９１、圧接端子部９２、圧接接点ばね部９３および引掛部１００Ｂが一体に形成されている。
【００３６】
この構成によれば、圧接接点ばね部９３を屈曲すれば、その先端部９３Ｔが引掛部１００Ｂの立上部１００Ｂ２に引っ掛かり、その状態に保持させることができる。従って、二次電池３８と回路基板５０との導通遮断や導通復帰を容易に行うことができるなどの第１実施形態と同様の効果を奏する。この実施形態では、引掛部１００Ｂをプラスリード板９０に一体に形成しているので、地板３１に引掛部を形成する必要がなく、導通遮断の無い既存の地板へ容易に導通遮断の機能を追加することができるなどの効果を奏する。
【００３７】
＜第３実施形態＞
図１１（Ａ）（Ｂ）は第３実施形態を示す。この実施形態では、プラスリード板９０に引掛部１００Ｂを一体に形成すると共に、引掛部１００Ｂの立上部１００Ｂ２を、圧接接点ばね部９３の先端部９３Ｔに引っ掛からない位置に待避させるための凹部３１Ａを地板３１に設けている。
この構成によれば、引掛部１００Ｂを地板３１側に屈曲できるため、引掛部１００Ｂの立上部１００Ｂ２を圧接接点ばね部９３の先端部９３Ｔに引っ掛かる位置から待避させることができる。従って、圧接接点ばね部９３を引掛部１００Ｂに引っ掛けて二次電池３８と回路基板５０との導通を遮断している場合、引掛部１００Ｂを地板３１側に押し込むといった容易な作業で、引掛部１００Ｂと圧接接点ばね部９３との引っ掛けを容易に解除でき、二次電池３８と回路基板５０との導通を復帰させることが可能になる。
【００３８】
この場合、圧接接点ばね部９３をその断面方向（図１１（Ａ）における左右方向）にのみ屈曲させればよいので、圧接接点ばね部９３に屈曲部９３Ａを備えないものを適用することも可能であり、圧接接点ばね部９３の形状自由度が向上する。
【００３９】
＜第４実施形態＞
図１２は第４実施形態を示す。この実施形態では、地板３１に、裏蓋４１側に開口する孔部３１Ｂを設け、この孔部３１Ｂ内に弾性部材１１０を介して引掛部１００Ｃを上下に移動自在に配置している。このため、引掛部１００Ｃを下方へ移動（押下）することにより、この引掛部１００Ｃを圧接接点ばね部９３の先端部９３Ｔが引っ掛かる位置から待避させることができる。この引掛部１００Ｃは、回路基板５０側が傾斜面１０４に形成され、その反対側が垂直面１０５に形成されている。なお、図示の例では、弾性部材１１０にコイルばねを使用しているが、これに限らず、板ばねなどの他の弾性部材を適用してもよい。
【００４０】
この構成によれば、圧接接点ばね部９３を外側に曲げた場合、圧接接点ばね部９３の先端部９３Ｔが引掛部１００Ｃの傾斜面１０４に当接し、この当接力の分力が弾性部材１１０を縮める下方向（地板３１側）に作用し、この弾性部材１１０を縮めて引掛部１００Ｃが圧接接点ばね部９３の先端部９３Ｔに引っ掛かる位置から待避する。そして、圧接接点ばね部９３が引掛部１００Ｃより回路基板５０外側に移動すると、引掛部１００Ｃが弾性部材１１０の弾性力により上方向（回路基板５０側）に突出し、圧接接点ばね部９３が引掛部１００Ｃの垂直面１０５に引っ掛かった状態に保持される。
【００４１】
従って、圧接接点ばね部９３を外側に曲げるだけで圧接接点ばね部９３を引掛部１００Ｃに容易に引っ掛けることができ、また、引掛部１００Ｃを地板３１側に押し込むといった容易な作業で、引掛部１００Ｃと圧接接点ばね部９３との引っ掛けを容易に解除でき、二次電池３８と回路基板５０との導通遮断および導通復帰を容易に行うことができる。
また、この場合も、圧接接点ばね部９３をその断面方向（図１１（Ａ）における左右方向）にのみ屈曲させればよいので、圧接接点ばね部９３に屈曲部９３Ａを備えないものを適用することも可能であり、圧接接点ばね部９３の形状自由度が向上する。
【００４２】
＜第５実施形態＞
図１３は第５実施形態を示す。この実施形態では、圧接接点ばね部９３が回路基板５０側面に設けられたプラス側電源用接点７０に圧接している状態から、図１３に矢印で示すように、圧接接点ばね部９３を回路基板５０と地板３１との間に屈曲させて回路基板５０に引っ掛け、圧接接点ばね部９３とプラス側電源用接点７０との導通を遮断可能にしている。
この場合、圧接接点ばね部９３は、回路基板５０と地板３１との間に屈曲した際、その弾性力により回路基板５０側に押し当たる分力が生じ、圧接接点ばね部９３が回路基板５０に引っ掛かった状態に保持される。また、回路基板５０における圧接接点ばね部９３が押し当たる領域５０ＡＲ、つまり、圧接接点ばね部９３の当接領域５０ＡＲの表面には、電源関係の配線パターンを非配置とし、圧接接点ばね部９３とプラス側電源用接点７０との導通が確実に遮断される。
【００４３】
この構成によれば、圧接接点ばね部９３を回路基板５０に引っ掛けるという容易な作業で、二次電池３８と回路基板５０との導通を遮断することができる。また、圧接接点ばね部９３をプラス側電源用接点７０と非接触の位置に保持する部材を回路基板５０としたので、回路基板５０を引掛部に兼用でき、部品点数を少なくすることができるといった効果や、引掛部を地板３１や圧接接点ばね部９３に設ける必要がない分、これら部品の形状自由度が向上するなどの効果を奏する。
【００４４】
＜第６実施形態＞
図１４は第６実施形態を示す。この実施形態では、回路基板５０の地板３１側にプラス側電源用接点７０Ａを設けると共に、回路基板５０と地板３１との間に、回路基板５０の厚さ方向に屈曲自在な圧接接点ばね部９３Ｘを設け、この圧接接点ばね部９３Ｘがプラス側電源用接点７０Ａに圧接するように構成している。
この圧接接点ばね部９３Ｘは、作業者が回路基板５０の側方から把持可能な位置に設けられ、作業者は、専用治具を使用することなく、圧接接点ばね部９３Ｘを回路基板５０の厚さ方向に屈曲させることができる。
【００４５】
地板３１には、圧接接点ばね部９３Ｘをプラス側電源用接点７０Ａから離れた非接触位置に屈曲させた場合に、圧接接点ばね部９３Ｘが引っ掛かる引掛部１００Ｄが一体に形成されている。この引掛部１００Ｄは、回路基板５０側が、圧接接点ばね部９３Ｘを引掛部１００Ｄの外方側に案内する傾斜面１０６に形成され、地板３１側の面１０７が、圧接接点ばね部９３Ｘを引っ掛けた状態に保持可能な面に形成されている。
この構成によれば、圧接接点ばね部９３Ｘを、回路基板５０の厚さ方向に屈曲させるだけで、圧接接点ばね部９３Ｘを引掛部１００Ｄの地板３１側の面１０７に引っ掛けた状態に保持することができ、圧接接点ばね部９３とプラス側電源用接点７０との導通を遮断することができる。
この構成は、例えば、回路基板５０と地板３１とが略同じ大きさに形成されるなどして、回路基板５０側方に圧接接点ばね部を配置できない場合に適用することにより、回路基板５０と地板３１との間の空きスペースを利用して、二次電池３８と回路基板５０とを容易に導通接続／導通遮断する電源遮断構造を構成することができる。
【００４６】
なお、本発明は前述の実施形態に限定されるものではなく、本発明の目的を達成できる範囲での変形、改良などは本発明に含まれるものである。
例えば、上述の各実施形態では、圧接接点ばね部９３、９３Ｘをプラスリード板９０に一体に形成する場合について説明したが、これに限らず、例えば、圧接接点ばね部９３、９３Ｘを輪列受け４５に設ける構成、あるいは、プラスリード板９０と回路基板５０との間に１以上の部品を追加し、その部品に圧接接点ばね部９３、９３Ｘを設ける構成などを適用してもよく、圧接接点ばね部９３、９３Ｘを別体に構成してもよい。
【００４７】
また、上述の各実施形態では、ソーラー発電による電力を二次電池３８に蓄電する場合について説明したが、これに限らず、回転錘を備えてこの回転錘の旋回（運動エネルギー）から発電を行う発電手段や熱発電を行う発電手段を備え、この発電手段による電力を二次電池３８に蓄電するようにしてもよい。また、発電手段を備えず外部電力を二次電池を充電するようにしてもよく、また、発電手段および二次電池を備えず、電源として一次電池を備えるようにしてもよい。
また、上述の実施形態では、本発明を電波時計に適用する場合について説明したが、これに限らず、要は電源を有する電子時計に広く適用が可能であり、例えば、電波による時刻修正機能を具備しない電子時計に適用でき、また、腕時計型に限らず、懐中時計などの他の携帯型時計や、置き時計などの固定型時計に広く適用が可能である。
【図面の簡単な説明】
【００４８】
【図１】本発明の第１実施形態に係る時計の外観を示す図である。
【図２】時計の断面構造の概要を示す図である。
【図３】ムーブメントを裏蓋側から見た平面図である。
【図４】ムーブメントから回路基板および回路押さえ板を外した状態を示す平面図である。
【図５】回路基板の時計表側の平面図である。
【図６】回路基板の裏蓋側の平面図である。
【図７】ムーブメントの一部断面図である。
【図８】（Ａ）は図７の続きの図であり、（Ｂ）は（Ａ）の側面図である。
【図９】プラスリード板の平面図である。
【図１０】（Ａ）は第２実施形態に係るムーブメントの一部を示す図であり、（Ｂ）は（Ａ）の側面図である。
【図１１】（Ａ）は第３実施形態に係るムーブメントの一部を示す図であり、（Ｂ）は（Ａ）の側面図である。
【図１２】第４実施形態に係るムーブメントの一部を示す側面図である。
【図１３】第５実施形態に係るムーブメントの一部を示す側面図である。
【図１４】第６実施形態に係るムーブメントの一部を示す側面図である。
【符号の説明】
【００４９】
１…腕時計（電子時計）、２…時計ケース、３…バンド、５〜７…表示指針、９…操作ボタン、１０…文字板、２０…ソーラーパネル、３０…ムーブメント（電子時計用ムーブメント）、３１…地板、３１Ｄ…凹部、３１Ｎ、３１ｎ…ねじ、３１Ｐ…パイプ部材、３５…輪列機構、３６Ａ、３６Ｂ…モータ、３７…アンテナユニット、３８…二次電池（電源）、４１…裏蓋、５０…回路基板（回路部）、５１…回路押さえ板、５５…受信ＩＣ（受信回路）、５６…マイクロコンピュータ（制御回路）、６０…操作検出用接点、６５…接点ばね部、７０…プラス側電源用接点、８０…マイナスリード板、９０…プラスリード板、９１…固定部、９２…圧接端子部、９３、９３Ｘ…圧接接点ばね部（圧接接点部材）、９３Ａ…屈曲部、１００Ａ、１００Ｂ、１００Ｃ、１００Ｄ…引掛部、ＴＣ…チェック端子。
【図１】
2008020273.tif 000003
【図２】
2008020273.tif 000004
【図３】
2008020273.tif 000005
【図４】
2008020273.tif 000006
【図５】
2008020273.tif 000007
【図６】
2008020273.tif 000008
【図７】
2008020273.tif 000009
【図８】
2008020273.tif 000010
【図９】
2008020273.tif 000011
【図１０】
2008020273.tif 000012
【図１１】
2008020273.tif 000013
【図１２】
2008020273.tif 000014
【図１３】
2008020273.tif 000015
【図１４】
2008020273.tif 000016